(57)【要約】【課題】ライナの耳部の付け根部が補強シェルにより補強されて、ライナの破断強度が大きくなり、繰り返し着用することによるライナの破損を防止し得る野球用ヘルメットを提供する。【解決手段】ライナ２は、本体部１０の内側に配置され頭の上部を覆うライナ本体２０と、イヤーフラップ１２の内側に配置され耳を覆う耳部２２とが一体に連なって形成されている。ライナ２の内側には、ライナ本体２０の大半を覆わず、かつ、ライナ２の耳部２２からライナ本体２０にわたって、ライナ２よりも薄肉の非発泡体の樹脂で形成された内側シェル３が積層されている。【選択図】図１
2018048439.tif 000002
【特許請求の範囲】
【請求項１】
頭の上部を覆う半球殻状の本体部１０、前記本体部１０から前方Ｆに向かって突出する庇部１１、ならびに、前記本体部１０から下方に向かって突出し耳を覆う少なくとも一つのイヤーフラップ１２が非発泡体の薄肉の樹脂で形成された外側シェル１と、
前記外側シェル１の内側に積層され、前記外側シェル１よりも厚肉の発泡樹脂からなるライナ２とを備えた野球用ヘルメットであって、
前記ライナ２は、前記本体部１０の内側に配置され前記頭の上部を覆うライナ本体２０と、前記イヤーフラップ１２の内側に配置され前記耳を覆う耳部２２と前記庇部１１の下面に沿って配置され前記ライナ本体２０から前方Ｆに向かって突出する前方突出部２１とが互いに一体に連なって形成され、
前記ライナ本体２０の大半を覆わず、前記ライナ２よりも薄肉の非発泡体の樹脂で形成された補強シェル３が前記ライナ２に下記のａまたはｂの少なくとも一方の状態で積層されていることを特徴とする野球用ヘルメット
ａ．前記ライナ２の耳部２２から前記ライナ本体２０にわたって前記ライナ２の内側に積層されている、
ｂ．前記ライナの耳部２２の前端２２ｅから前記耳部２２と前記前方突出部２１との間の括れた括れ部２３にわたって、前記ライナ２の内側および／または端面に積層されている。
【請求項２】
請求項１において、前記耳部２２の前記前端２２ｅにおけるライナ本体２０に連なる部位において、前記ライナ２の内側の面が括れて前記ライナ２の厚さが薄い薄肉部２４が形成されており、前記薄い薄肉部２４の前記前端２２ｅの内側および／または端面に前記補強シェル３が積層されている野球用ヘルメット。
【請求項３】
請求項２において、前記ライナ本体２０の前頭部２０Ｆおよび後頭部２０Ｂには、それぞれ、前記ライナ本体２０の端面２０Ｅから上方に向かって延びる複数本の溝２０Ｇが形成されている野球用ヘルメット。
【請求項４】
請求項３において、前記溝２０Ｇは前記前頭部２０Ｆおよび後頭部２０Ｂにおいて平面断面がＶ字状またはＵ字状に形成されている野球用ヘルメット。
【請求項５】
請求項１において、前記ヘルメットを前記頭の少なくとも側頭部にフィットさせるための頭部パッド４を更に備え、
前記補強シェル３は前記頭部パッド４の下端よりも上方まで延びている野球用ヘルメット。
【発明の詳細な説明】
【技術分野】
【０００１】
本発明は庇部およびイヤーフラップを備えた野球用ヘルメットに関する。
【背景技術】
【０００２】
打者用の野球用ヘルメットには、イヤーフラップが設けられている（特許文献１）。
【０００３】
一般的な野球用ヘルメットの一例を図１１に示す。図１１において、野球用ヘルメットは外側シェル１、ライナ２、頭部パッド４および耳パッド５を備える。
【０００４】
前記外側シェル１は、頭の上部を覆う半球殻状の本体部１０、前記本体部１０から前方Ｆに向かって突出する庇部１１、ならびに、前記本体部１０から下方に向かって突出し耳を覆う少なくとも一つのイヤーフラップ１２が非発泡体の樹脂で一体に形成されている。前記ライナ２は前記外側シェル１の前記本体部１０内側に積層され、前記外側シェル１よりも厚肉の発泡樹脂からなり、庇部１１およびイヤーフラップ１２の部位には設けられていない。
【先行技術文献】
【特許文献】
【０００５】
【特許文献１】特許第２，９７８，７５５号（図４）
【発明の概要】
【０００６】
前記図１１の一般的な野球用ヘルメットにおいては、庇部１１およびイヤーフラップ１２の部位にライナ２を設けていない。そのため、外側シェル１自体が大きな強度を備えている必要があり、外側シェル１が２ｍｍ程度の厚い樹脂で形成されている。かかる厚肉の外側シェル１は野球用ヘルメットの重量が大きくなる要因となる。
【０００７】
したがって、本発明の目的は外側シェルを薄肉化してヘルメットの軽量化を図ることである。
【０００８】
前記目的を達成するために、本発明の野球用ヘルメットは、頭の上部を覆う半球殻状の本体部１０、前記本体部１０から前方Ｆに向かって突出する庇部１１、ならびに、前記本体部１０から下方に向かって突出し耳を覆う少なくとも一つのイヤーフラップ１２が非発泡体の薄肉の樹脂で形成された外側シェル１と、前記外側シェル１の内側に積層され、前記外側シェル１よりも厚肉の発泡樹脂からなるライナ２とを備えた野球用ヘルメットであって、前記ライナ２は、前記本体部１０の内側に配置され前記頭の上部を覆うライナ本体２０と、前記イヤーフラップ１２の内側に配置され前記耳を覆う耳部２２と前記庇部１１の下面に沿って配置され前記ライナ本体２０から前方Ｆに向かって突出する前方突出部２１とが互いに一体に連なって形成され、前記ライナ本体２０の大半を覆わず、前記ライナ２よりも薄肉の非発泡体の樹脂で形成された補強シェル３が前記ライナ２に下記のａまたはｂの少なくとも一方の状態で積層されていることを特徴とする野球用ヘルメット
ａ．前記ライナ２の耳部２２から前記ライナ本体２０にわたって前記ライナ２の内側に積層されている、
ｂ．前記ライナの耳部２２の前端２２ｅから前記耳部２２と前記前方突出部２１との間の括れた括れ部２３にわたって、前記ライナ２の内側および／または端面に積層されている。
【０００９】
ここで、頭の上部とは、頭における耳よりも上方の部位を言う。
外側シェルは、２以上に分割されていてもよい。たとえば外側シェルを３分割し、イヤーフラップと補強シェルとが一体であってもよい。
「ライナ本体の大半を覆わず」とは、内側シェルが頭の上部の半分以上を覆っていないことを意味する。
【００１０】
本発明によれば、イヤーフラップの内側にもライナを設けたので、外側シェルを薄肉化でき、ヘルメットの軽量化を図り得る。また、補強シェルは頭の上部の大半を覆っておらず、ヘルメットの軽量化を妨げない。
【００１１】
一方、打者ヘルメットのイヤーフラップには貫通孔が存在するが、硬式野球用打者ヘルメットは両耳付きであるため着脱しにくく、そのため、イヤーフラップの前記貫通孔に指をかけ、左右に開きながら着脱する。そのとき、イヤーフラップ付け根に応力が集中し、イヤーフラップまで設けたライナ材に割れが生じる可能性がある。
また、片耳付の軟式野球用のヘルメットにおいても、イヤーフラップの部位を片手で把んで着脱することがあり、この場合にもライナ材に割れが生じる可能性がある。
これに対し、前記ａ．の状態のようにライナの耳部の付け根部が補強シェルにより補強された場合は、イヤーフラップの耳部の付け根部の破断強度が大きくなり、繰り返し着用することによるライナの破損を防止し得る。
一方、前記ｂ．の状態のように、ライナの耳部の前端から括れ部にわたって、ライナの内側または端面の少なくともいずれか一方に補強シェルが積層された場合は、応力集中が生じ易い前記括れ部を補強することで、前記ライナの破損を防止し得る。
【図面の簡単な説明】
【００１２】
【図１】本発明の実施例１のヘルメットを内側前方から見た斜視図である。
【図２】同内側後方から見た斜視図である。
【図３】実施例２のヘルメットを内側後方から見た斜視図である。
【図４】実施例３のヘルメットを内側後方から見た斜視図である。
【図５】図５Ａはライナの断面図、図５Ｂ〜図５Ｄはイヤーフラップの下端の構造例を示す断面図である。
【図６】図６Ａ〜図６Ｆは同構造例の他の例を示す断面図である。
【図７】実施例４のヘルメットを内側前方から見た斜視図である。
【図８】実施例５のヘルメットを内側前方から見た斜視図である。
【図９】実施例６のヘルメットを内側前方から見た斜視図である。
【図１０】実施例７のヘルメットを内側前方から見た斜視図である。
【図１１】一般的な野球用ヘルメットの一例を示す斜視図である。
【発明を実施するための形態】
【００１３】
本発明の好ましい実施例においては、前記耳部の前記前端におけるライナ本体に連なる部位において、前記ライナの内側の面が括れて前記ライナの厚さが薄い薄肉部が形成されており、前記薄い薄肉部の前記前端の内側および／または端面に前記補強シェルが積層されていることを特徴とする。
【００１４】
この場合、薄肉部の内側にメガネのツルを収容し得るのであるが、かかる薄肉部の薄い前端が補強シェルで補強されるので、応力の集中を防止し得る。
【００１５】
本発明の更に好ましい実施例において、前記ライナ本体の前頭部および後頭部には、それぞれ、前記ライナ本体の端面から上方に向かって延びる複数本の溝が形成されている。
この場合、ヘルメットを着用する際に溝の部位でライナ本体が開き、耳部の付け根部の応力集中を緩和し得る。
【００１６】
本発明の更に好ましい実施例において、前記溝は前記前頭部および後頭部において平面断面がＶ字状またはＵ字状に形成されている。
Ｖ字状またはＵ字状の溝はライナ本体を更に開き易くする。
【００１７】
本発明の好ましい実施例において、前記ヘルメットは前記頭の少なくとも側頭部にフィットするためのパッドを更に備え、前記内側シェルは前記パッドの下端よりも上方まで延びている。
【００１８】
かかる内側シェルは耳部の付け根部を確実に覆い、繰り返し着用することによるライナの破損を確実に防止し得る。
【実施例】
【００１９】
以下、本発明の実施例を図面にしたがって説明する。以下の各実施例において同一部分または相当部分には同一符号を付している。
【００２０】
図１および図２は実施例１を示す。
本実施例の外側シェル１は、図１１の従来例と同様に、図１の本体部１０、庇部１１およびイヤーフラップ１２が非発泡体の熱可塑性樹脂で一体に成型されているが、前記従来例と異なり、０．４ｍｍ〜１．５ｍｍ程度の薄肉で、真空成型により成型されている。
【００２１】
ライナ２はライナ本体２０、前方突出部２１および耳部２２が外側シェル１よりも厚肉の発泡スチロール（発泡樹脂の一例）で一体に形成されている。
【００２２】
前記ライナ２は衝撃を吸収するためのものであるが、外側シェル１の内側の全面を覆い、外側シェル１と協働してヘルメットの強度をアップさせる役割も果たす。
前記ライナ本体２０は、前記本体部１０の内側に配置され前記頭の上部を覆う。耳部２２は前記イヤーフラップ１２の内側に配置され前記耳を覆う。前記前方突出部２１は前記庇部１１の下面に沿って配置され前記ライナ本体２０から前方Ｆに向かって突出する。
【００２３】
前記ライナ２の内側には内側シェル３（補強シェルの一例）がライナ２に積層されている。前記内側シェル３は前記ライナ本体２０の大半を覆わず、かつ、前記ライナ２の耳部２２から前記ライナ本体２０にわたって、前記ライナ２よりも薄肉の非発泡体の熱可塑性樹脂で形成されている。前記内側シェル３は主としてライナ２の内側を覆っているが、ライナ２の端面Ｅを覆っていてもよい。
【００２４】
なお、図１〜図４および図７〜図１０の各図において、内側シェル３の部位には網点を施している。また、これらの図においては作図の都合上、ヘルメットの上下が逆さになって図示されている。
【００２５】
たとえば、図１の前記外側シェル１および内側シェル３とライナ２とはライナ２の成型時に互いに一体に固着される。外側シェル１と内側シェル３を真空成型でそれぞれ作製した後、ライナ２のインモールド成型時に外側シェル１と内側シェル３をモールド内に仕込み、ライナ２の成型と同時にライナ２に、外側シェル１および内側シェル３が接着されてもよい。一方、前記内側シェル３は単体で真空成型されたパーツが複数のビスなどの止め具６によりライナ２に固定されていてもよい。
【００２６】
本ヘルメットには、前記図１１の従来例に示す円環状の頭部パッド４および耳パッド５が設けられる。前記頭部パッド４はヘルメットを頭の外周に沿ってフィットさせるものであり、耳パッド５は耳の下方において顔面に接触するもので、これらは一般にスポンジゴムと合成皮革で形成される。なお、図１〜図４および図７〜図１０の実施例においては、ライナ２や内側シェル３の構造を分かり易くするために頭部パッド４および耳パッド５を図示していない。
【００２７】
図１において、前記内側シェル３は頭部パッド４の下端４０（図１１参照）よりも上方（紙面上では下方）Ｚまで延びている。このように、内側シェル３は上方Ｚに延びてライナ本体２０の一部を覆うことにより、内側シェル３は耳部２２の付け根部を確実に覆う。
【００２８】
前記外側シェル１、ライナ２および内側シェル３は、耳の部分に貫通孔７を有する。本実施例の場合、内側シェル３は前記貫通孔７の周囲を囲むように前記貫通孔７の全周囲にわたって連なって設けられている。
【００２９】
また、本実施例の場合、内側シェル３は耳部２２の下端からヘルメットの外側に向かって延び、耳部２２の端面Ｅを覆っている。
なお、端面Ｅを非発泡体の樹脂で覆うことにより、端面Ｅのライナ材がグランド等に接触ないし当接することによる摩耗を防止し得る。
【００３０】
図１および図２に示すように、前記ライナ本体２０の内面には前頭部２０Ｆから後頭部２０Ｂにわたって、前記ライナ本体２０の端面２０Ｅから上方Ｚに向かって延びる複数本の溝２０Ｇが形成されている。前記溝２０Ｇは前記前頭部２０Ｆおよび後頭部２０Ｂにおいて平面断面がＶ字状またはＵ字状に形成されている。
【００３１】
なお、図１に示すように、ヘルメットの頭部には前記外側シェル１およびライナ２を貫通し、前記溝２０Ｇに連なる通気用の貫通孔８が多数設けられている。
【００３２】
図３および図４は他の実施例を示す。
これらの例に示すように、内側シェル３の形状は種々の形状が考えられるが、貫通孔７の全周囲を囲むのが好ましい。
【００３３】
図５Ｂ〜図５Ｄ、図６Ａ〜図６Ｆは、図５Ａの耳部２２の下端部の構造を拡大して示す。
ライナ２の端面Ｅは、図５Ｂのように、前記内側シェル３により覆ってもよいが、図５Ｃおよび図５Ｄのように、前記内外のシェル３により覆わなくてもよい。
【００３４】
また、図６Ａのように、端面Ｅを巻き込むように外側シェル１を内側まで延ばしてもよいし、逆に、図６Ｂのように、端面Ｅを巻き込むように内側シェル３を外側まで延ばしてもよい。
【００３５】
更に、図６Ｃおよび図６Ｆのように、端面Ｅを別のパーツにより覆ってもよい。また、図６Ｄおよび図６Ｅに示すように、外側シェル１および内側シェル３の端の処理は種々の構造を採用し得る。
【００３６】
前記図５Ａの断面図および図７〜図１０に示すように、前記耳部２２の前記前端２２ｅから貫通孔７におけるライナ本体２０に連なる部位において、前記ライナ２の内側の面が括れて厚さが薄い薄肉部２４が形成されている。これはメガネを着用する打者のメガネのツルを収容可能とするためである。
【００３７】
また、前記耳部２２と前記突出部２１との間には形状が急激に変化して括れた括れ部２３が形成されている。したがって、前記括れ部２３またはその近傍の薄肉部２４には応力が集中し易い。一方、イヤーフラップ１２の後端部分２２ｂは本体部１０に向かって滑らかな形状を有し、破断しにくい。
【００３８】
したがって、図７〜図１０に示すように、少なくとも前記応力集中し易い部位を補強するために補強シェル３を設けるのが好ましい。
【００３９】
図７の実施例においては、前記ライナの耳部２２における前端２２ｅから括れ部２３において、耳部２２からライナ本体２０にわたって、ライナ２の内側に補強シェル３が積層されている。
【００４０】
図８の実施例においては、前記耳部２２の端面Ｅおよびその近傍の内側と、耳部２０の前端２２ｅから括れ部２３にわたって、ライナ２の内側および端面に補強シェル３が積層されている。
【００４１】
図９の実施例においては、前記ライナの耳部２２の前端２２ｅから前記括れ部２３にわたって、前記ライナ２の内側および／または端面に補強シェル３が積層されている。
【００４２】
図１０の実施例においては、前記ライナの耳部２２の前端２２ｅから前記括れ部２３にわたって、前記ライナ２の端面から前方突出部２１の縁に補強シェル３が積層されている。
【産業上の利用可能性】
【００４３】
本発明は硬式野球用だけでなく、軟式野球用のヘルメットにも適用し得る。
【符号の説明】
【００４４】
１：外側シェル  １０：本体部  １１：庇部  １２：イヤーフラップ
２：ライナ  ２０：ライナ本体  ２１：前方突出部  ２２：耳部  ２２ｅ：前端  ２０Ｂ：後頭部
２０Ｅ：端面  ２０Ｆ：前頭部  ２０Ｇ：溝  
３：内側シェル（補強シェル）
４：頭部パッド  ４０：下端
５：耳パッド
６：止め具
７：貫通孔
８：貫通孔
Ｅ：端面
Ｆ：前方
Ｚ：上方
【図１】
2018048439.tif 000003
【図２】
2018048439.tif 000004
【図３】
2018048439.tif 000005
【図４】
2018048439.tif 000006
【図５】
2018048439.tif 000007
【図６】
2018048439.tif 000008
【図７】
2018048439.tif 000009
【図８】
2018048439.tif 000010
【図９】
2018048439.tif 000011
【図１０】
2018048439.tif 000012
【図１１】
2018048439.tif 000013
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
半球殻状の本体部１０、庇部１１およびイヤーフラップ１２が非発泡体の樹脂で一体に形成された外側シェル１と、
前記外側シェル１の内側に積層され、前記外側シェル１よりも厚肉の発泡樹脂からなるライナ２とを備えた野球用ヘルメットであって、
前記ライナ２は、前記本体部１０の内側に積層されたライナ本体２０と、前記イヤーフラップ１２の内側に積層された耳部２２とが互いに一体に連なって形成され、
前記イヤーフラップ１２および前記耳部２２は貫通孔７を有し、
前記ライナ２よりも薄肉の非発泡体の熱可塑性樹脂で形成された補強シェル３が前記貫通孔７よりも前方の前記耳部２２の内側に積層され、
前記補強シェル３が前記ライナ２の前記耳部２２の前端２２ｅからヘルメットの外側に向かって延び前記耳部２２の前端２２ｅの端面Ｅに積層されて当該端面Ｅを覆っていることを特徴とする、野球用ヘルメット。
【請求項２】
請求項１において、前記貫通孔７よりも前方の前記耳部２２の内側から前記貫通孔７よりも下方の前記耳部２２の内側にわたって前記補強シェル３が積層され、
前記補強シェル３が前記耳部２２の前記前端２２ｅの端面Ｅから前記耳部２２の下端の端面Ｅにわたって積層されている、野球用ヘルメット。
【請求項３】
半球殻状の本体部１０、庇部１１およびイヤーフラップ１２が非発泡体の樹脂で一体に形成された外側シェル１と、
前記外側シェル１の内側に積層され、前記外側シェル１よりも厚肉の発泡樹脂からなるライナ２とを備えた野球用ヘルメットであって、
前記ライナ２は、前記本体部１０の内側に積層されたライナ本体２０と、前記イヤーフラップ１２の内側に積層された耳部２２とが互いに一体に連なって形成され、
前記イヤーフラップ１２および前記耳部２２は貫通孔７を有し、
前記ライナ２よりも薄肉の非発泡体の熱可塑性樹脂で形成された補強シェル３が前記貫通孔７よりも下方の前記耳部２２の内側から前記貫通孔７よりも前方の前記耳部２２の内側にわたって積層され、
前記補強シェル３が前記ライナ２の前記耳部２２の下端からヘルメットの外側に向かって延び前記耳部２２の下端の端面Ｅに積層されて当該端面Ｅを覆っていることを特徴とする、野球用ヘルメット。
【請求項４】
請求項１〜３のいずれか１項において、前記庇部１１の下面に沿って配置され前記ライナ本体２０から前方Ｆに向かって突出する前方突出部２１が前記ライナ２に一体に連なって形成され、
前記耳部２２の前記前端２２ｅと前記前方突出部２１との間に括れ部２３が形成されている、野球用ヘルメット。
【請求項５】
請求項４において、前記耳部２２の前端２２ｅの端面Ｅから前記括れ部２３にわたって、前記ライナ２に前記補強シェル３が積層されている、野球用ヘルメット。
【請求項６】
請求項４において、前記ライナの耳部２２の前記前端２２ｅの前記端面Ｅから前記括れ部２３にわたって前記補強シェル３が積層され、更に、前記括れ部２３から前記ライナ２の前記前方突出部２１の縁にわたって前記補強シェル３が積層されている、野球用ヘルメット。
【請求項７】
請求項４〜６のいずれか１項において、前記ライナの耳部２２の前記前端２２ｅの内側から前記括れ部２３よりも上方の前記ライナ２の内側にわたって前記補強シェル３が積層されている、野球用ヘルメット。